(57)【要約】      （修正有）【課題】モバイル電子デバイスおよびそのバッテリモジュールの電力管理方法の提供。【解決手段】モバイル電子デバイス３０８は、バッテリモジュール３０２と、充放電モジュール３０４と、制御モジュール３０６とを備える。充放電モジュール３０４はバッテリモジュール３０２に連結される。制御モジュール３０６は、バッテリモジュール３０２と充放電モジュール３０４とに連結される。電力供給部３９がモバイル電子デバイス３に連結され、システム時間が維持期間内にない場合、制御モジュール３０６は充放電モジュール３０４を制御してバッテリモジュール３０２の容量を第１の容量の範囲内に維持する。電力供給部３９がモバイル電子デバイス３に連結され、システム時間が維持期間内にある場合、制御モジュール３０６は充放電モジュール３０４を制御してバッテリモジュール３０２の容量を、第２の容量の範囲内に維持する。【選択図】図３
2011103763.tif 000002
【特許請求の範囲】
【請求項１】
電力供給部と協同し、システム時間を持つモバイル電子デバイスであって、
バッテリモジュールと、
前記バッテリモジュールに連結された充放電モジュールと、
前記バッテリモジュールと前記充放電モジュールとに連結された制御モジュールと
を備え、
前記電力供給部が前記モバイル電子デバイスに連結され、前記システム時間が維持期間内にない場合、前記制御モジュールは前記充放電モジュールを制御して前記バッテリモジュールの容量を第１の容量の範囲内に維持し、前記電力供給部が前記モバイル電子デバイスに連結され、前記システム時間が前記維持期間内にある場合、前記制御モジュールは前記充放電モジュールを制御して前記バッテリモジュールの前記容量を第２の容量の範囲内に維持し、前記第２の容量の範囲の容量は、前記第１の容量の範囲の容量よりも大きい
モバイル電子デバイス。
【請求項２】
前記維持期間は、予め定められた充電期間とバッファ期間とを含み、
前記バッファ期間は前記予め定められた充電期間に後続する請求項１に記載のモバイル電子デバイス。
【請求項３】
前記制御モジュールに連結された記憶部をさらに備え、
前記記憶部は、前記第１の容量の範囲の値、前記第２の容量の範囲の値、および前記維持期間の値を記憶する請求項１または２に記載のモバイル電子デバイス。
【請求項４】
前記電力供給部と前記充放電モジュールとに連結された第１のスイッチ部をさらに備える請求項１から３の何れか１項に記載のモバイル電子デバイス。
【請求項５】
前記バッテリモジュールと前記充放電モジュールとに連結された第２のスイッチ部をさらに備える請求項１から４の何れか１項に記載のモバイル電子デバイス。
【請求項６】
モバイル電子デバイスで利用されるバッテリモジュールの電力管理方法であって、前記モバイル電子デバイスはシステム時間を持ち、前記電力管理方法は、
前記モバイル電子デバイスがバッテリモジュールおよび電力供給部に連結されているか否かを判断する段階と、
前記モバイル電子デバイスが前記バッテリモジュールおよび前記電力供給部に連結されている場合、前記システム時間が維持期間内にあるか否かを判断する段階と、
前記モバイル電子デバイスの前記システム時間が前記維持期間内にない場合、前記バッテリモジュールの容量を第１の容量の範囲内に維持する段階と、
前記モバイル電子デバイスの前記システム時間が前記維持期間内にある場合、前記バッテリモジュールの前記容量を、前記第１の容量の範囲の容量よりも大きい容量の第２の容量の範囲内に維持する段階と
を備える電力管理方法。
【請求項７】
前記維持期間は、予め定められた充電期間とバッファ期間とを含み、
前記バッファ期間は前記予め定められた充電期間に後続する請求項６に記載の電力管理方法。
【請求項８】
前記予め定められた充電期間は、特定の時点とバッテリ充電時間とから算出される請求項７に記載の電力管理方法。
【請求項９】
前記バッファ期間はシステム所与値である請求項７または８に記載の電力管理方法。
【発明の詳細な説明】
【技術分野】
【０００１】
本非仮出願は、米国特許法Ｕ．Ｓ．Ｃ．３５巻セクション１１９（ａ）に基づき、台湾・中華民国において２００９年１１月１０日に出願された特許出願第０９８１３８０９７号明細書の優先権を主張しており、その全内容をここに参照として組み込む。
【０００２】
本発明はモバイル電子デバイスに係り、より具体的には、モバイル電子デバイスおよびそのバッテリモジュールの電力管理方法に係る。
【背景技術】
【０００３】
商用電力ソケット等の外部電源が利用可能な環境においては、ポータブルコンピュータを利用するユーザは通常、電力供給部を自身のポータブルコンピュータに常時接続しており、電力供給部を利用して外部の交流電力を直流電力に変換してポータブルコンピュータへ給電している。通常このような状況であってもユーザはコンピュータに充電式バッテリを残しており、ポータブルコンピュータが充電式バッテリに充電を行っている場合がある。
【０００４】
図１は、従来の充電式バッテリの累積容量を示す概略図である。具体的には図１は従来のポータブルコンピュータの充電式バッテリの容量変化曲線を示す概略図である。コンピュータに直流電力を供給する場合に電力アダプタ回路が充電式バッテリを充電することができるので、図１の曲線は充電式バッテリに貯蔵される容量を示す。充電式バッテリは徐々に充電して充電状態１０１から全容量状態１０２まで移行し、全容量状態１０２を継続して保っている。
【０００５】
充電式バッテリが全容量状態を保つ、という上述した方法では、ポータブルコンピュータが外部に持ち出されると、直ちに最長利用可能期間にわたってコンピュータが充電式バッテリの給電により動作することになる。しかし、上述した方法では、充電式バッテリの寿命に悪影響が出る。充電式バッテリの利用可能な累積容量は一定の特徴を有する。つまり、実際に充電式バッテリに貯蔵されている容量が一定の期間高レベルを維持する間、この充電式バッテリの利用可能な累積容量が徐々に小さくなる傾向がある。従って長期間が経過すると、充電式バッテリの利用可能な累積容量が低下して給電が不可能になる。
【０００６】
図２は、充電式バッテリの利用可能な累積容量の経時的な低下を示す概略図である。図２は、それぞれ異なる容量を貯蔵する充電式バッテリを一年間使用しなかったときの、充電式バッテリの利用可能な累積容量の変化を示す。第１の曲線２０２は、貯蔵容量が１００％の充電式バッテリを一年間使用しなかった場合、充電式バッテリの利用可能な累積容量が元の利用可能な累積容量の９０％に低下したことを示す。
【０００７】
第２の曲線２０４は、貯蔵容量が４０％の充電式バッテリを一年間使用しなかった場合、充電式バッテリの利用可能な累積容量が元の利用可能な累積容量の９７％に低下したことを示す。
【０００８】
第３の曲線２０６は、貯蔵容量がゼロの充電式バッテリを一年間使用しなかった場合、充電式バッテリの利用可能な累積容量が、略元の利用可能な累積容量のまま維持されることを示す。
【０００９】
図２から、充電式バッテリに貯蔵されている容量が多いほど、長期間が経過すると、この充電式バッテリの利用可能な累積容量が小さくなる、という結論が導き出される。
【００１０】
先行技術における充電式バッテリの利用可能な累積容量の低下、という問題を改善するには、ユーザが充電式バッテリの全放電を定期的間隔で行って、充電式バッテリに残る全容量が高容量状態のまま維持されないよう気をつけることで、充電式バッテリの利用可能な累積容量を維持するようにすればよい。しかしこの方法では、一側面で、ユーザは全放電を定期的に行う必要があり、不便である。別の側面で、充電式バッテリの全充放電回数が制約をうける。上述した方法では、バッテリの全累積容量は維持されるようになるかもしれないが、充電式バッテリの残りの充電回数が減ってしまう。
【発明の概要】
【００１１】
本発明の目的の１つは、先行技術を向上させるモバイル電子デバイスおよびそのバッテリモジュールの電力管理方法を提供することである。
【００１２】
一側面では、電力供給部と協同するモバイル電子デバイスが提供される。モバイル電子デバイスはシステム時間を持つ。モバイル電子デバイスは、バッテリモジュールと、充放電モジュールと、制御モジュールとを備える。充放電モジュールはバッテリモジュールに連結される。制御モジュールは、バッテリモジュールと充放電モジュールとに連結される。電力供給部がモバイル電子デバイスに連結され、システム時間が維持期間内にない場合、制御モジュールは充放電モジュールを制御してバッテリモジュールの容量を第１の容量の範囲内に維持する。電力供給部がモバイル電子デバイスに連結され、システム時間が維持期間内にある場合、制御モジュールは充放電モジュールを制御してバッテリモジュールの容量を、第２の容量の範囲内に維持する。第２の容量の範囲の容量は、第１の容量の範囲の容量よりも大きい。
【００１３】
本発明の別の側面では、バッテリモジュールの電力管理方法が提供される。電力管理方法は、システム時間を持つモバイル電子デバイスで利用可能である。電力管理方法は、モバイル電子デバイスがバッテリモジュールおよび電力供給部に連結されているか否かを判断する段階と、モバイル電子デバイスがバッテリモジュールおよび電力供給部に連結されている場合、モバイル電子デバイスのシステム時間が維持期間内にあるか否かを判断する段階と、モバイル電子デバイスのシステム時間が維持期間内にない場合、バッテリモジュールの容量を第１の容量の範囲内に維持する段階と、モバイル電子デバイスのシステム時間が維持期間内にある場合、バッテリモジュールの容量を第２の容量の範囲内に維持する段階とを備える。第２の容量の範囲の容量は、前記第１の容量の範囲の容量よりも大きい。
【００１４】
本発明では、充電式バッテリの利用可能な充電回数に影響を与えないという条件で、モバイル電子デバイスは依然として充電式バッテリの容量を充電式バッテリの利用可能な累積容量に維持することができるので、充電式バッテリの寿命が延びる。
【００１５】
本発明のこれらおよびその他の特徴、側面、および利点は、以下の記載、添付請求項、および添付図面を参照することで、よりよく理解されるであろう。
【図面の簡単な説明】
【００１６】
【図１】従来の充電式バッテリの累積容量を示す概略図である。
【００１７】
【図２】充電式バッテリの利用可能な累積容量の低下を示す概略図である。
【００１８】
【図３】モバイル電子デバイスの関連モジュールおよび電力供給部を示す概略図である。
【００１９】
【図４】本発明の一実施形態におけるバッテリ容量を示す概略図である。
【００２０】
【図５】本発明の好適な実施形態におけるバッテリモジュールの電力管理方法を示すフローチャートである。
【発明を実施するための形態】
【００２１】
図３は、モバイル電子デバイスの関連モジュールおよび電力供給部を示す概略図である。図３の実施形態のモバイル電子デバイス３は、外部の電力供給部３９と協同することができる。電力供給部３９の一端は外部電源３８に連結され、電力供給部３９の他端はモバイル電子デバイス３に連結されている。概して電力供給部３９は、入力された交流電圧を直流電圧に変換して出力する。他の実施形態では、電力供給部３９をモバイル電子デバイス３内に設けることもできる。
【００２２】
モバイル電子デバイス３は、システム３１、スイッチ部３５、３７、電力管理デバイス３０８、および記憶部３３を含む。電力管理デバイス３０８はさらに、バッテリモジュール３０２、充放電モジュール３０４、および制御モジュール３０６を含む。
【００２３】
スイッチ部３５はシステム３１、バッテリモジュール３０２、および充放電モジュール３０４とそれぞれ連結されている。スイッチ部３７は、スイッチ部３５、システム３１、充放電モジュール３０４、および電力供給部３９とそれぞれ連結されている。充放電モジュール３０４は、バッテリモジュール３０２および制御モジュール３０６と連結されている。制御モジュール３０６は、バッテリモジュール３０２、充放電モジュール３０４、および記憶部３３と連結されている。
【００２４】
本実施形態では、モバイル電子デバイス３は、ノートブックコンピュータまたはタブレットコンピュータ等のポータブルコンピュータであってよい。本実施形態では、制御モジュール３０６は埋め込みコントローラ（ＥＣ）であってよい。本実施形態では、記憶部３３は、フラッシュメモリ、揮発性メモリ、または不揮発性メモリ等の、基本入出力システム（ＢＩＯＳ）を記憶するメモリであってよい。
【００２５】
本実施形態では、システム３１は概略的に示されており、電力管理デバイス３０８、記憶部３３、およびスイッチ部３５、３７を除く全てのシステム回路および関連部を含むことができる。本実施形態では、バッテリモジュール３０２の容量は、第１の容量の範囲または第２の容量の範囲内に維持することができる。第２の容量の範囲の容量は、第１の容量の範囲の容量よりも大きい。以下で容量の範囲について説明する。
【００２６】
本実施形態では、スイッチ部３５を利用して、バッテリモジュール３０２にシステム３１に対して給電させるか否かを切り替える。スイッチ部３７を利用することにより、電力供給部３９にシステム３１に対して給電させるか否かを切り替え、ひいては、充放電モジュール３０４を利用してバッテリモジュール３０２への充電を行うか否かを切り替える。本実施形態では、スイッチ部３５、３７の動作を、充放電モジュール３０４および制御モジュール３０６を利用して制御している。
【００２７】
他の実施形態では、スイッチ部３５およびスイッチ部３７は、バッテリモジュール３０２および／またはシステム３１の充放電経路を切り替える一つのスイッチ部に統合されてもよい。
【００２８】
本実施形態では、制御モジュール３０６が、それぞれ異なる状況に対応してバッテリモジュール３０２の容量を制御することができる。例えば、制御モジュール３０６は、記憶部３３からの関連設定値を読み出し、関連動作を行うことができる。一方で、制御モジュール３０６は、モバイル電子デバイス３の利用時にバッテリモジュール３０２の容量状態を取得して、充放電モジュール３０４を制御してバッテリモジュール３０２に対する充放電を行うか否かを判断してよい。
【００２９】
図４は、本発明の好適な実施形態におけるバッテリ容量を示す概略図である。詳しくは、それぞれ異なる状況におけるバッテリモジュール３０２の容量を示す曲線図である。図４と図３とをあわせて参照されたい。
【００３０】
これによると、本実施形態におけるバッテリモジュール３０２の容量は、複数の異なる容量の範囲で動作しうる。
【００３１】
本実施形態では、第１の容量の範囲は、バッテリモジュール３０２の容量が低容量状態にある場合に相当する。バッテリモジュール３０２の容量が第１の容量の範囲にあるとき、バッテリモジュール３０２は、モバイル電子デバイス３の動作プログラムを安全に完了し、且つ、外部電源３８のモバイル電子デバイス３に対する給電が急に停止した場合のシャットダウンを行うのに十分な電力を供給することができる。
【００３２】
本実施形態では、第２の容量の範囲は、バッテリモジュール３０２の容量が高容量状態にある場合に相当する。本実施形態では、通常はユーザがモバイル電子デバイス３を外部に持ち出す前に、制御モジュール３０６がバッテリモジュール３０２の容量を高容量状態へと調節して、制御モジュール３０６がバッテリモジュール３０２を制御してその容量が維持期間中には第２の容量の範囲内に維持されるようにする。
【００３３】
本実施形態では、維持期間には、予め定められた充電期間とバッファ期間とが含まれ、バッファ期間は予め定められた充電期間に後続する期間である。本実施形態では、予め定められた充電期間は、特定の時点４４とバッテリ充電時間とから算出される。本実施形態では、バッファ期間は、システム所与値である。しかし、ユーザが必要に応じて限られた範囲の修正を行うこともできる。
【００３４】
図４の実施形態では、電力供給部３９がモバイル電子デバイス３に連結され、モバイル電子デバイス３にバッテリモジュール３０２がインストールされると、制御モジュール３０６は、充放電モジュール３０４を制御して、電力供給部３９がシステム３１に対して給電するようスイッチ部３５、３７の動作を制御することができ、制御モジュール３０６は、充放電モジュール３０４を制御してバッテリモジュール３０２の容量を第１の容量の範囲内に維持することができる。
【００３５】
さらにユーザは、維持期間に関連する設定を、ＢＩＯＳ環境下で行うことができる。またユーザは、維持期間に関連する設定を、オペレーティングシステム環境下のアプリケーションプログラムを介して行うこともできる。
【００３６】
このようにして、制御モジュール３０６は、ユーザの設定するそれぞれ異なる設定に応じて、または、システム所与値に応じて、バッテリモジュール３０２に対して充電または放電を行うよう充放電モジュール３０４を制御することができる。例えば、予め定められた充電期間中は、制御モジュール３０６は充放電モジュール３０４を制御してバッテリモジュール３０２に対して充電を行い、その容量を第２の容量の範囲内に維持することができる。
【００３７】
上述したそれぞれ異なる設定およびシステムの所与値は、記憶部３３に格納することができ、あるいは、制御モジュール３０６のメモリ（不図示）に直接格納することもできる。このようにして、制御モジュール３０６は、記憶部３３から関連設定値を読み出して、後に関連する動作を行うことができる。以下に本実施形態におけるバッテリモジュール３０２の制御方法を説明する。
【００３８】
図３および図４をともに参照されたい。以下の説明を簡略化するべく、本実施形態では、さらに第１の容量の下限および上限を用いて、低容量状態である第１の容量の範囲を定義し、第２の容量の下限および上限を用いて、高容量状態である第２の容量の範囲を定義する。
【００３９】
バッテリモジュール３０２の容量制限を以下に例示する。第１の容量の下限の一例は、バッテリモジュール３０２の全容量の５％から１５％の間である。第１の容量の上限の一例は、バッテリモジュール３０２の全容量の１０％から２０％の間である。第２の容量の下限の一例は、バッテリモジュール３０２の全容量の９０％から９５％の間である。第２の容量の上限の一例は、バッテリモジュール３０２の全容量の１００％（完全充電）である。
【００４０】
電力供給部３９が外部電源３８に接続されており、電力供給部３９がバッテリモジュール３０２に連結されているモバイル電子デバイス３に給電している時に、バッテリモジュール３０２の容量が完全充電状態である、または、第１の容量の上限よりも高い状態であると仮定すると、本実施形態の制御モジュール３０６は、スイッチ部３５、３７を制御して、電力供給部３９からの電力が充放電モジュール３０４を介してバッテリモジュール３０２に供給されないようにすることができる。加えて、制御モジュール３０６はさらに充放電モジュール３０４を制御して、バッテリモジュール３０２の容量が第１の容量の上限より低くなるまでバッテリモジュール３０２に放電を行わせることができる（曲線４０１）。
【００４１】
次いで、バッテリモジュール３０２は自然に容量が低下するのを待つ（曲線４０３）。この自然な容量の低下により、バッテリモジュール３０２の容量が第１の容量の下限よりも低くなると、制御モジュール３０６はスイッチ部３５、３７および充放電モジュール３０４を制御してバッテリモジュール３０２を充電して、貯蔵されている容量を第１の容量の上限に達させる（曲線４０５）。この後、バッテリモジュール３０２は、ポータブルコンピュータが予め定められた充電期間の開始時点４２に到達するまで、自然な容量の低下を待つ（曲線４０３）。
【００４２】
予め定められた充電期間は、特定の時点４４とバッテリ充電時間とから算出されうる。例えば、ユーザが午前１０時にミーティングに出席することになっており、バッテリモジュール３０２のバッテリの充電時間が２０分である場合、予め定められた充電期間は、午前９時４０分から午前１０時となり、予め定められた充電期間の開始時点４２は午前９時４０分となる。
【００４３】
他の実施形態では、予め定められた充電期間を他の方法で求めることもでき、これを記憶部３３に格納することもできる。
【００４４】
予め定められた充電期間（つまり、予め定められた充電期間の開始時点４２と予め定められた外出時点４４の間の期間）に、制御モジュール３０６はバッテリモジュール３０２の容量を判断して、バッテリモジュール３０２の容量を第２の容量の範囲内に維持する。例えば、制御モジュール３０６は、充放電モジュール３０４を制御してバッテリモジュール３０２に充電を行い（曲線４０７）、バッテリモジュール３０２の容量を、第２の容量の下限と第２の容量の上限とにより形成される第２の容量の範囲に達させる。
【００４５】
予め定められた充電期間が満了してから後続するバッファ期間の終了時点４６まで、制御モジュール３０６は充放電モジュール３０４を制御してバッテリモジュール３０２の容量を第２の容量の範囲内に維持してよい。従って、予め定められた充電期間とバッファ期間とを含む維持期間において、制御モジュール３０６はバッテリモジュール３０２の容量を第２の容量の範囲内に維持することができる。
【００４６】
ユーザが予め定められた外出時点４４に遅れ、予め定められた外出時点４４に外部電源３８の利用を停止しない虞もある。このように実際の外出時点と予め定められた外出時点４４との間に差異が生じた場合には、バッテリモジュール３０２が一旦高容量状態まで充電された後でバッテリモジュール３０２が充放電モジュール３０４によって自動的に放電させられて、低容量状態となってしまうといった事態（曲線４０９）を、バッファ期間によって回避することができる。
【００４７】
本実施形態では、バッファ期間は２０分と予め定めることができる。他の実施形態では、ユーザが必要に応じたバッファ期間を設定することができる。
【００４８】
バッファ期間が満了してもユーザが電力供給部３９の利用をやめずに、バッテリモジュール３０２が継続して高容量状態を維持することができなくなりバッテリモジュール３０２の寿命に影響が出るような場合には、本実施形態における制御モジュール３０６は充放電モジュール３０４を制御してバッテリモジュール３０２に放電させることができる（曲線４１１）。
【００４９】
本実施形態では、バッテリモジュール３０２が放電して容量を第１の容量の上限まで低下させ、続いてバッテリモジュール３０２の容量を第１の容量の範囲内に維持させる。つまり、ひとたびバッテリモジュール３０２の容量が第１の容量の上限よりも自然に下回った場合（曲線４０３）、充放電モジュール３０４は、第１の容量の上限までバッテリモジュール３０２を充電する（曲線４０５）。従って、それぞれ異なる状態に応じた容量制御フロー経路を繰り返し行うことができる。バッテリモジュール３０２は、ポータブルコンピュータに給電する必要のないときには低容量状態とすることで、さらにバッテリモジュール３０２の利用可能な累積容量を維持することができバッテリモジュール３０２の寿命を延ばすことができる。
【００５０】
図５は、本発明の好適な実施形態におけるバッテリモジュールの電力管理方法を示すフローチャートである。図５と図３とをあわせて参照されたい。
【００５１】
ステップＳ５０５で、制御モジュール３０６は、モバイル電子デバイス３が、バッテリモジュール３０２と電力供給部３９とに同時に連結されているか否かを判断する。モバイル電子デバイス３がバッテリモジュール３０２および電力供給部３９のうち一方のみに連結されている場合には、モバイル電子デバイス３は元の設定に基づいて他の動作モードを行うことができる（ステップＳ５１０）。
【００５２】
ステップＳ５１５で、モバイル電子デバイス３が、バッテリモジュール３０２と電力供給部３９とに同時に連結されている場合、制御モジュール３０６はシステム時間を読み出し、予め定められた充電期間およびバッファ期間の設定値を記憶部３３から読み出し、システム時間が維持期間内にあるか否かを判断する。
【００５３】
ステップＳ５２０で、モバイル電子デバイス３のシステム時間が維持期間内にない場合、制御モジュール３０６はスイッチ部３５、３７および充放電モジュール３０４を制御して、バッテリモジュール３０２の容量を第１の容量の範囲内に維持する。
【００５４】
ステップＳ５２５で、モバイル電子デバイス３のシステム時間が維持期間内にある場合、制御モジュール３０６は、バッテリモジュール３０２の容量が第２の容量の範囲内にあるか否かを判断する。つまり、制御モジュール３０６は、バッテリモジュール３０２が完全充電状態にあるか否かを判断する。バッテリモジュール３０２の容量が第２の容量の範囲内（完全充電状態）である場合、ステップＳ５０５を引き続き行う。
【００５５】
ステップＳ５３０で、バッテリモジュール３０２の容量が第２の容量の範囲内にない場合、制御モジュール３０６はスイッチ部３５、３７、および充放電モジュール３０４を制御して、バッテリモジュール３０２の容量を第２の容量の範囲内に維持する。そしてステップＳ５０５を引き続き行う。
【００５６】
ポータブルコンピュータの動作フロー経路はあくまで例示である。しかし、本実施形態の方法は、モバイルフォンまたはマルチメディアプレーヤ等の異なる種類のモバイル電子デバイスが外部電源に接続される状況にも利用可能である。バッテリモジュールの材料は特に制限されず、ニッケル−金属バッテリ、ニッケル−カドミウムバッテリ、リチウムイオンバッテリ、またはリチウムバッテリなどが全て利用可能である。外部電源を利用する場合、本実施形態では、記憶部に格納されているＢＩＯＳの設定値等の設定値を、充放電モジュール制御中に、制御モジュールに決定補助要素として提供することもできる。容量の範囲の上限および下限以外にも、格納する設定値の例としては、外部電力モードがバッテリモードに切り替わった切り替え時点、定期的な充放電期間、および維持期間の設定等が挙げられる。設定値としては、工場における初期値が利用されてもよいし、ソフトウェアインタフェース経由でユーザが嗜好に応じて設定した設定値が利用されてもよい。
【００５７】
本発明を一部の好適な実施形態に関して多くの詳細を述べることで説明してきたが、本開示は本発明の範囲を限定する意図はない。当業者であれば、本発明の範囲および精神を逸脱せずに多くの変形例および変更例について想到することができる。従って添付請求項の範囲が上述した好適な実施形態の説明に限定されるべきではない。
【図１】
2011103763.tif 000003
【図２】
2011103763.tif 000004
【図３】
2011103763.tif 000005
【図４】
2011103763.tif 000006
【図５】
2011103763.tif 000007